(57)【要約】【課題】本発明は、婦人靴や紳士靴等を履いて歩行中に足の踵が脱げにくく歩行し易い踵部内周面に突出部を設けた靴及びその製造方法を提供する。【解決手段】婦人靴１０の甲皮部１２は甲皮２０と裏皮２２を密着当接して形成されている。裏皮２２の踵部一側部２２Ａと踵部他側部２２Ｂには突出部用開口３２が貫通形成されている。踵部一側部２２Ａと踵部芯材３０の間には突出部用開口３２に対応して突出体３４が配設され、踵部他側部２２Ｂと踵部芯材３０の間には突出部用開口３２に対応して突出体３４が配設されている。突出体３４は突出部形成片３６とスポンジ３８から構成されている。裏皮２２と踵部芯材３０の間に配設された突出体３４のスポンジ３８が突出部形成片３６の突出部３６Ａを押して突出部３６Ａが突出部用開口３２から突出する。【選択図】図１
2011041590.tif 000002
【特許請求の範囲】
【請求項１】
甲皮部の裏皮の踵部一側部又は踵部他側部の少なくとも一方に突出部を設けたことを特徴とする踵部内周面に突出部を設けた靴。
【請求項２】
甲皮部を構成すると共に甲皮部の外側に設けられた甲皮と、この甲皮と前記甲皮部を構成すると共に前記甲皮部の内側に設けられた裏皮と、この裏皮の踵部一側部又は踵部他側部の少なくとも一方に突出部を設けたことを特徴とする踵部内周面に突出部を設けた靴。
【請求項３】
甲皮部を構成すると共に甲皮部の外側に設けられた甲皮と、この甲皮と前記甲皮部を構成すると共に前記甲皮部の内側に設けられた裏皮と、この裏皮の踵部一側部又は踵部他側部の少なくとも一方に貫通形成された突出部用開口と、前記甲皮と裏皮の間であって前記突出部用開口に対応するように設けられた突出体と、この突出体の突出部形成片に設けられると共に前記突出部形成片の突出部を押して突出部を前記突出部用開口から靴の内側に突出させる弾性体と、を有することを特徴とする踵部内周面に突出部を設けた靴。
【請求項４】
甲皮部を構成すると共に甲皮部の外側に設けられた甲皮と、この甲皮と前記甲皮部を構成すると共に前記甲皮部の内側に設けられた裏皮と、前記甲皮部の踵部の前記甲皮と裏皮の間に設けられた踵部芯材と、前記裏皮の踵部一側部又は踵部他側部の少なくとも一方に貫通形成された突出部用開口と、前記裏皮と踵部芯材の間であって前記突出部用開口に対応するように設けられた突出体と、この突出体の突出部形成片に設けられると共に前記突出部形成片の突出部を押して突出部を前記突出部用開口から靴の内側に突出させる弾性体と、を有することを特徴とする踵部内周面に突出部を設けた靴。
【請求項５】
甲皮部の裏皮の踵部一側部又は踵部他側部の少なくとも一方に突出部を取り付けることを特徴とする踵部内周面に突出部を設けた靴の製造方法。
【請求項６】
甲皮と突出部用開口を貫通形成した裏皮をそれぞれ形成し、
前記甲皮と裏皮を重ね合わせて甲皮部を製造し、
前記裏皮の突出部用開口に突出体の突出部が対応する状態で前記甲皮と裏皮の間に弾性体を設けた突出体を配設し、
前記突出体の弾性体を弾性復帰させて突出部を前記突出部用開口から突出させるようにしたことを特徴とする踵部内周面に突出部を設けた靴の製造方法。
【請求項７】
甲皮と突出部用開口を貫通形成した裏皮をそれぞれ形成し、
前記甲皮と裏皮を重ね合わせて甲皮部を製造し、
前記甲皮部の踵部の前記甲皮と前記裏皮の間に踵部芯材を配設し、
前記裏皮の突出部用開口に突出体の突出部が対応する状態で裏皮と踵部芯材の間に突出体を配設し、
前記裏皮と前記突出体の突出部形成片の周縁部を糸で縫着して突出体を裏皮に縫い付けると共に前記突出部形成片の突出部と弾性体を糸で刺し縫いし、
前記突出体の突出部を刺し縫いした糸をカットすることにより弾性体を弾性復帰させて突出部を前記突出部用開口から突出させるようにしたことを特徴とする踵部内周面に突出部を設けた靴の製造方法。
【発明の詳細な説明】
【技術分野】
【０００１】
本発明は、婦人靴や紳士靴等の靴の踵部内周面に突出部を設けた靴及びその製造方法に関する。
【背景技術】
【０００２】
一般的に婦人靴や紳士靴はスニーカー等の靴と異なり甲皮部は天然皮革や人工皮革等の比較的硬い材料で形成することにより型崩れしにくいようになっている。
このため、婦人靴や紳士靴の踵部は硬いため、前記婦人靴や紳士靴を履いて歩行すると歩行中に足の踵が靴の踵部から脱げ易くなると共に歩行しにくいという不具合がある。特に、甲皮部の高さが紳士靴に比べて低い婦人靴においては上記不具合は顕著である。
そこで、上記不具合を解消させるために靴の中敷の上に別途に購入した脱げ防止用中敷部材を配設することにより踵が脱げにくくしている（特許文献１）。
しかし、これでは別途に脱げ防止用中敷部材を用意して靴の中敷の上に配設しなければならないと共に脱げ防止用中敷部材を配設することにより靴を履いた場合に違和感や窮屈感が新たに生じる場合がある。
【先行技術文献】
【特許文献】
【０００３】
【特許文献１】特開平７−２８９３０７号公報
【発明の概要】
【発明が解決しようとする課題】
【０００４】
本発明は、上記事実に鑑みなされたものであり、別途に脱げ防止用中敷部材等を配設しなくても婦人靴や紳士靴等を履いて歩行中に足の踵が脱げにくく歩行し易い踵部内周面に突出部を設けた靴及びその製造方法を提供するものである。
【課題を解決するための手段】
【０００５】
請求項１の発明は、甲皮部の裏皮の踵部一側部又は踵部他側部の少なくとも一方に突出部を設けたことを特徴としている。
請求項２の発明は、甲皮部を構成すると共に甲皮部の外側に設けられた甲皮と、この甲皮と前記甲皮部を構成すると共に前記甲皮部の内側に設けられた裏皮と、この裏皮の踵部一側部又は踵部他側部の少なくとも一方に突出部を設けたことを特徴としている。
請求項３の発明は、甲皮部を構成すると共に甲皮部の外側に設けられた甲皮と、この甲皮と前記甲皮部を構成すると共に前記甲皮部の内側に設けられた裏皮と、この裏皮の踵部一側部又は踵部他側部の少なくとも一方に貫通形成された突出部用開口と、前記甲皮と裏皮の間であって前記突出部用開口に対応するように設けられた突出体と、この突出体の突出部形成片に設けられると共に前記突出部形成片の突出部を押して突出部を前記突出部用開口から靴の内側に突出させる弾性体と、を有することを特徴としている。
請求項４の発明は、甲皮部を構成すると共に甲皮部の外側に設けられた甲皮と、この甲皮と前記甲皮部を構成すると共に前記甲皮部の内側に設けられた裏皮と、前記甲皮部の踵部の前記甲皮と裏皮の間に設けられた踵部芯材と、前記裏皮の踵部一側部又は踵部他側部の少なくとも一方に貫通形成された突出部用開口と、前記裏皮と踵部芯材の間であって前記突出部用開口に対応するように設けられた突出体と、この突出体の突出部形成片に設けられると共に前記突出部形成片の突出部を押して突出部を前記突出部用開口から靴の内側に突出させる弾性体と、を有することを特徴としている。
請求項５の発明は、甲皮部の裏皮の踵部一側部又は踵部他側部の少なくとも一方に突出部を取り付けることを特徴としている。
請求項６の発明は、甲皮と突出部用開口を貫通形成した裏皮をそれぞれ形成し、
前記甲皮と裏皮を重ね合わせて甲皮部を製造し、
前記裏皮の突出部用開口に突出体の突出部が対応する状態で前記甲皮と裏皮の間に弾性体を設けた突出体を配設し、
前記突出体の弾性体を弾性復帰させて突出部を前記突出部用開口から突出させるようにしたことを特徴としている。
請求項７の発明は、甲皮と突出部用開口を貫通形成した裏皮をそれぞれ形成し、
前記甲皮と裏皮を重ね合わせて甲皮部を製造し、
前記甲皮部の踵部の前記甲皮と前記裏皮の間に踵部芯材を配設し、
前記裏皮の突出部用開口に突出体の突出部が対応する状態で裏皮と踵部芯材の間に突出体を配設し、
前記裏皮と前記突出体の突出部形成片の周縁部を糸で縫着して突出体を裏皮に縫い付けると共に前記突出部形成片の突出部と弾性体を糸で刺し縫いし、
前記突出体の突出部を刺し縫いした糸をカットすることにより弾性体を弾性復帰させて突出部を前記突出部用開口から突出させるようにしたことを特徴としている。
【発明の効果】
【０００６】
本発明の踵部内周面に突出部を設けた靴は、踵部の側部内周面に突出部が突出して足の踵と当接するので歩行中に踵が脱げにくく歩行し易いという優れた効果を有する。
また、本発明の踵部内周面に突出部を設けた靴は、踵部の側部内周面に突出部が突出して足の踵と当接するので踵と靴の踵部がフィットして歩行し易いという優れた効果を有する。
本発明の踵部内周面に突出部を設けた靴の製造方法は、踵部内周面に突出部を設けた靴を製造することができるという優れた効果を有する。
【図面の簡単な説明】
【０００７】
【図１】第１実施例の踵部内周面に突出部を設けた靴を斜め上方から見た全体斜視図である。
【図２】第１実施例の踵部内周面に突出部を設けた靴を斜め上方から見た一部拡大斜視図である。
【図３】第１実施例の踵部内周面に突出部を設けた靴の踵部の一部縦断面図である。
【図４】第１実施例の踵部内周面に突出部を設けた靴に用いられる突出体を斜め背面から見た全体斜視図である。
【図５】第１実施例の踵部内周面に突出部を設けた靴に用いられる突出体を配設する場合の配設位置関係状態を示す概念縦断面図である。
【図６】第１実施例の踵部内周面に突出部を設けた靴を製造する場合の一工程を示す斜視図である。
【図７】第１実施例の変形例の踵部内周面に突出部を設けた靴に用いられる突出体を斜め背面から見た全体斜視図である。
【図８】第１実施例の変形例の踵部内周面に突出部を設けた靴に用いられる突出体を配設する場合の配設位置関係状態を示す概念縦断面図である。
【図９】第２実施例の踵部内周面に突出部を設けた靴を斜め上方から見た一部拡大斜視図である。
【図１０】第２実施例の踵部内周面に突出部を設けた靴に用いられる突出体を取り付けた状態の縦断面図である。
【発明を実施するための形態】
【０００８】
発明を実施するために最良の形態の例として以下のような実施例を示す。
【実施例１】
【０００９】
図１〜図６には本発明に係る踵部内周面に突出部を設けた靴及びその製造方法の第１実施例が示されている。なお、実施例では踵部内周面に突出部を設けた靴を婦人靴（ハイヒール）に適用した場合を例にして説明する。
図１に示されるように、本発明の踵部内周面に突出部を設けた靴が適用された婦人靴１０は甲皮部１２とソール部１４と本底部１６とヒール部１８から構成されている。
前記甲皮部１２は外側に配設される甲皮２０と甲皮２０の内側に配設される裏皮２２を密着当接して形成されている。この甲皮２０は比較的硬い天然皮革を薄いシート状にして加工して形成されている。一方、この裏皮２２は柔らかい天然皮革を薄いシート状にして加工して形成されている。
前記甲皮部１２の爪先部２４の前記甲皮２０と裏皮２２の間には爪先部芯材２６（破線で示す）が挟まれた状態で配設されている。また、前記甲皮部１２の踵部２８の前記甲皮２０と裏皮２２の間には踵部芯材３０（破線で示す）が挟まれた状態で配設されている。これら爪先部芯材２６と踵部芯材３０は共に水に一定時間漬けると軟らかくなるが、乾燥すると硬くなる性質を有する公知の素材をシート状に加工して形成されている。
従って、前記甲皮部１２の爪先部２４の甲皮２０と裏皮２２の間に爪先部芯材２６を、甲皮部１２の踵部２８の甲皮２０と裏皮２２の間に踵部芯材３０を、それぞれ配設することにより爪先部２４と踵部２８は一段と型崩れしにくいようになっている。
図２に示されるように、足の踵の一側部が対応する裏皮２２の踵部一側部２２Ａと足の踵の他側部が対応する裏皮２２の踵部他側部２２Ｂにはそれぞれ長円状の突出部用開口３２が貫通形成されている。
図１に示されるように、前記踵部一側部２２Ａと踵部芯材３０の間には突出部用開口３２に対応して突出体３４が配設され、前記踵部他側部２２Ｂと踵部芯材３０の間には突出部用開口３２に対応して突出体３４が配設されている（なお、図１には踵部一側部２２Ａと踵部芯材３０の間に配設された突出体３４のみを示す）。
図４に示されるように、前記突出体３４はシート状に加工して長円状にカットした突出部形成片３６と突出部形成片３６の背面に接着剤等で仮付けされた弾性体としてのスポンジ３８から構成されている。なお、この実施例ではスポンジ３８は直方体状に形成されている。
従って、前記突出体３４を裏皮２２と踵部芯材３０の間に配設することにより図３に示されるようにスポンジ３８が突出部形成片３６の中間部の突出部３６Ａを押して突出部形成片３６の突出部３６Ａが裏皮２２に形成された突出部用開口３２から突出するようになっている。
なお、前記突出部形成片３６はその周縁部３６Ｂが糸４０で前記裏皮２２に縫われ、これにより前記突出体３４は裏皮２２に取り付けられている。
従って、図１及び図２に示されるように婦人靴１０は甲皮部１２の踵部２８において突出体３４の突出部３６Ａ,３６Ａが突出するので、突出部３６Ａ,３６Ａが足の踵の一側部と他側部に当接するため歩行中に踵が脱げにくいようになっている。
なお、図６に示されるように前記ソール部１４はアウトソール４２とインソール４４と中敷４６から形成されている。
また、前記アウトソール４２の下には図１に示されるように前記本底部１６と前記ヒール部１８が固定されるようになっている。
【００１０】
次に、第１実施例の婦人靴１０の作用について説明する。
この婦人靴１０を履く場合においては突出部３６Ａ，３６Ａが突出しているが足の踵が突出部３６Ａ，３６Ａに当たると突出部３６Ａ，３６Ａは足の踵に押されるため突出部３６Ａ，３６Ａが突出していてもスムーズに婦人靴１０を履くことができる。
婦人靴１０を履くと突出部３６Ａ，３６Ａはスポンジ３８の弾性力により足の踵を常時押す状態になる。
このため、婦人靴１０を履いている場合は常時足の踵の両側部は突出部３６Ａ，３６Ａによって押圧されて踵とフィットして一体感が生じ快適に歩行することができる。
また、婦人靴１０においては脱げ防止用中敷等を別途に購入する必要がないので経済的であると共に脱げ防止用中敷等を配設した時に生じ易い違和感や窮屈感を感じることがない。
なお、突出部３６Ａ，３６Ａはスポンジ３８の弾性力によって突出しているがスポンジ３８の弾性力であるので、突出部３６Ａ，３６Ａの存在により踵が痛くなるようなことはない。
また、婦人靴１０を脱ぐ場合も突出部３６Ａ，３６Ａはスポンジ３８の弾性力により押されているだけであるので突出部３６Ａ，３６Ａの存在に関係なくスムーズに婦人靴１０を脱ぐことができる。
なお、婦人靴１０は図１、図２に示されるように突出部３６Ａ，３６Ａが突出部用開口３２，３２から突出していても外観上スマートな印象を与え需要者、消費者に外観上のマイナスイメージを与えることはない。
また、前記突出体３４を甲皮部１２内に設けても婦人靴１０の甲皮２０の外側面が膨らんだりすることはないので通常の婦人靴と同様に甲皮部１２の甲皮２０の鏡面的な美くしさを維持でき、婦人靴１０の外観品質を低下させることはない。
【００１１】
次に、第１実施例の婦人靴１０の製造方法について説明する。
最初に甲皮２０と突出部用開口３２，３２を貫通形成した裏皮２２をそれぞれ形成する。
そして、甲皮２０の内側に裏皮２２を配設して甲皮２０と裏皮２２を重ね合わせると共に甲皮２０の上縁と裏皮２２の上縁をミシンで縫着して甲皮部１２を製造する。
次に、甲皮部１２の爪先部２４の甲皮２０と裏皮２２の間に水に漬けて柔らかくした爪先部芯材２６を配設すると共に甲皮部１２の踵部２８の前記甲皮２０と裏皮２２の間に水に漬けて軟らかくした踵部芯材３０を配設する。
そして、裏皮２２の突出部用開口３２に突出体３４の突出部３６Ａが対応する状態で裏皮２２と踵部芯材３０の間に突出体３４を配設する。
次に、図５に示されるようにミシンで前記裏皮２２と前記突出部形成片３６の周縁部３６Ｂを糸４０で縫着して突出体３４を裏皮２２に縫い付ける。また、ミシンで突出部形成片３６の突出部３６Ａとスポンジ３８を糸４８で多数刺し縫いしてスポンジ３８を扁平状態にして甲皮部１２が膨らまないようにする。
そして、図６に示されるように公知の靴型５０に前記甲皮部１２を被せて適宜公知手段で甲皮部１２を靴型５０に密着させて甲皮部１２の形を整える。
次に、甲皮部１２の下方から接着したアウトソール４２、インソール４４、中敷４６からなるソール部１４を配設して甲皮部１２と縫着してから、アウトソール４２に本底部１６とヒール部１８を固定してから、靴型５０を抜く。
そして、突出部形成片３６の突出部３６Ａとスポンジ３８に刺し縫いした糸４８のみをカットして抜く。
これにより、突出部３６Ａとスポンジ３８に刺し縫いした糸４８をカットすることにより糸４８によって強制的に扁平形状になっていたスポンジ３８（図５参照）が弾性復帰し（図３参照）、スポンジ３８の弾性力により突出部形成片３６の突出部３６Ａが突出部用開口３２から突出して前記婦人靴１０が完成する（図１参照）。
【００１２】
図７及び図８には本発明に係る踵部内周面に突出部を設けた靴の第１実施例の変形例が示されている。
この変形例に使用される突出体５２の構成は上記第１実施例の突出体３４の構成と相違している。この突出体５２の突出部形成片３６に取り付けられる加熱膨張弾性体５４はスポンジ３８でなく、一定温度（例えば摂氏６０℃）以上の熱を加えると膨張する性質を有する弾性材料で形成されている。
このため、図７に示されるように最初から扁平状態に形成した加熱膨張弾性体５４を突出部形成片３６の背面に取り付けることができるので上記第１実施例のようにスポンジ３８を扁平状態するために糸４８で多数刺し縫いするミシン作業を不要にできるというメリットがある。
なお、前記突出体５２の突出部３６Ａを突出部用開口３２から突出させる場合は図８に示す状態の突出体５２に婦人靴１０の内側から熱風を突出体５２に吹き付けて加熱膨張弾性体５４を一定温度（例えば摂氏６０℃）以上にして加熱膨張弾性体５４を膨張させて過熱膨張弾性体５４の弾性力により突出部形成片３６の突出部３６Ａを突出部用開口３２から突出させる。
【００１３】
図９及び図１０には本発明に係る踵部内周面に突出部を設けた靴及びその製造方法の第２実施例が示されている。なお、第１実施例の踵部内周面に突出部を設けた靴及びその製造方法と同一の構成は同一の符号を用いてその説明は省略する。
図９に示されるように、本発明の踵部内周面に突出部を設けた靴が適用された婦人靴６０の甲皮部１２の裏皮２２の踵部一側部２２Ａと踵部他側部２２Ｂには突出部６２が接着されている。
図１０に示されるように、この突出部６２は立体的に形成されたスポンジ６４に天然皮革の薄いカバー体６６を被せて一体形成したものである。
前記突出部６２のスポンジ６４の底面６４Ａとカバー体６６の底面６６Ａには接着剤が塗布され、これにより突出部６２は裏皮２２に取り付けられている。
前記婦人靴６０を製造する場合は婦人靴６０の製造工程の最後にスポンジ６４の底面６４Ａとカバー体６６の底面６６Ａに接着剤を塗布した突出部６２を前記裏皮２２の踵部一側部２２Ａと踵部他側部２２Ｂに接着することにより前記婦人靴６０を製造することができる。
従って、第２実施例の踵部内周面に突出部を設けた靴の製造方法は第１実施例の踵部内周面に突出部を設けた靴の製造方法に比べてシンプルであるため製造効率に優れているという効果を有している。
なお、第２実施例では前記突出部６２は接着剤で裏皮２２に取り付けたが、接着剤で取り付ける以外に両面テープや縫着等の他の手段で突出部６２を裏皮２２に取り付けてもよいことは勿論である。
また、前記突出部６２はスポンジ６４とカバー体６６で一体形成したが、突出部６２はスポンジ等の弾性体だけで一体形成してもよいことは勿論である。
なお、他の作用、効果は第１実施例の踵部内周面に突出部を設けた靴及びその製造方法と同一である。
【００１４】
なお、第１実施例では弾性体としてスポンジ３８、第２実施例では弾性体としてのスポンジ６４を使用したが弾性復帰する性質を有する材料（例えばシリコン、エラストマー、弾性ゴムや他の合成樹脂材等）であればスポンジに限定されないことは勿論である。
また、第１実施例では裏皮２２の踵部一側部２２Ａと踵部他側部２２Ｂの２箇所に突出部用開口３２を形成したが、突出部用開口３２の数は２個に限定されるものでなく１個又は３個以上でもよいことは勿論である。
なお、第２実施例では裏皮２２の踵部一側部２２Ａと踵部他側部２２Ｂの２箇所に突出部６２を設けたが、突出部６２の数は２個に限定されるものでなく１個又は３個以上でもよいことは勿論である。
また、実施例では甲皮部１２を天然皮革で形成したが、甲皮部１２の素材は人工皮革等でもよく天然皮革に限定されるものでないことは勿論である。
なお、実施例では本発明を婦人靴１０，６０に適用した例を示したが、靴の種類は婦人靴に限定されるものでなく紳士靴等他の靴でもよいことは勿論である。
【産業上の利用可能性】
【００１５】
本発明の踵部内周面に突出部を設けた靴及びその製造方法は、婦人靴以外の紳士靴やその他の靴にも使用することができる。
【符号の説明】
【００１６】
１０    婦人靴
１２    甲皮部
１４    ソール部
１６    本底部
１８    ヒール部
２０    甲皮
２２    裏皮
２４    爪先部
２６    爪先部芯材
２８    踵部
３０    踵部芯材
３２    突出部用開口
３４    突出体
３６    突出部形成片
３６Ａ  突出部
３６Ｂ  周縁部
４０    糸
４２    アウトソール
４４    インソール
４６    中敷
４８    糸
５０    靴型
６０    婦人靴
【図１】
2011041590.tif 000003
【図２】
2011041590.tif 000004
【図３】
2011041590.tif 000005
【図４】
2011041590.tif 000006
【図５】
2011041590.tif 000007
【図６】
2011041590.tif 000008
【図７】
2011041590.tif 000009
【図８】
2011041590.tif 000010
【図９】
2011041590.tif 000011
【図１０】
2011041590.tif 000012